(57)【特許請求の範囲】
【請求項１】
天井部と、前記天井部から下方へ突出し互いに対向している一対の側面部とを有しており、かつ下部に開口が設けられている照明ボックス、
前記照明ボックス内に装着されている照明保持具、及び
前記照明保持具に保持されている照明器具
を備え、
前記照明保持具は、弾性変形部を有しており、かつ、前記弾性変形部を弾性変形させることにより前記一対の側面部に押し付けられて前記照明ボックス内に保持されており、
前記照明保持具の上下方向寸法は、前記天井部から前記開口までの距離よりも小さくなっており、
前記照明ボックス内に保持されている前記照明保持具の位置が、上下方向へ調整可能になっている乗客コンベアの欄干装置。
【請求項２】
前記照明保持具は、前記弾性変形部として、前記照明器具の両側に配置されている一対の板ばね部を有しており、
前記一対の板ばね部は、対応する前記側面部にそれぞれ押し付けられている請求項１記載の乗客コンベアの欄干装置。
【請求項３】
前記照明ボックスの長手方向の前記照明保持具の寸法は、前記照明保持具の幅方向寸法よりも小さい請求項１又は請求項２に記載の乗客コンベアの欄干装置。
【請求項４】
天井部と、前記天井部から下方へ突出し互いに対向する一対の側面部とが設けられており、かつ下部に開口が設けられている照明ボックス内に装着される装着部、及び
前記装着部に設けられており、照明器具を保持する保持部
を備え、
前記装着部は、弾性変形部を有しており、前記弾性変形部を弾性変形させることにより前記一対の側面部に押し付けられて前記照明ボックス内に保持される乗客コンベアの照明保持具であって、
前記照明保持具の上下方向寸法は、前記天井部から前記開口までの距離よりも小さくなっており、
前記照明ボックス内に保持されたときの上下方向位置が調整可能である乗客コンベアの照明保持具。
【請求項５】
前記装着部は、前記弾性変形部として、前記保持部の両側に配置されている一対の板ばね部を有している請求項４記載の乗客コンベアの照明保持具。
【発明の詳細な説明】
【技術分野】
【０００１】
この発明は、照明器具が設けられている乗客コンベアの欄干装置、及び欄干装置の照明ボックス内で照明器具を保持する照明保持具に関するものである。
【背景技術】
【０００２】
従来のエスカレータの照明装置では、欄干の直線部に、直線部取付板を介して長尺ＬＥＤユニットが設置されている。また、欄干の曲線部には、曲線部取付板を介して複数の短尺ＬＥＤユニットが設置されている。曲線部取付板は、複数の板ばねにより、照明ボックスの上部に押し付けられている。また、各板ばねの両端部は、照明ボックスの一対の脚部に掛けられている（例えば、特許文献１参照）。
【先行技術文献】
【特許文献】
【０００３】
【特許文献１】特開２０１１−１１６４９８号公報
【発明の概要】
【発明が解決しようとする課題】
【０００４】
一般に、乗客コンベアの欄干装置において、照明器具を保持する保持具を据付現地でガードレールに設置するのは難しい。このため、保持具は、製造段階でガードレールに予め取り付けた状態で据付現地に納品される。【０００５】
一方、照明器具は、据付現地で取り付けられるため、各部品の製作誤差、及び乗客コンベア全体の撓みを、据付現地で吸収する必要が生じる。このため、事前に裕度を持たせた設計を行うことが要求され、設計段階における検討負荷が高い。また、据付現地での誤差が予想以上に大きく、吸収しきれない場合には、大がかりな現地改造、又は部品交換が必要になる。【０００６】
これに対して、特許文献１に示された照明装置では、据付現地で板ばね及び曲線部取付板を照明ボックス内に取り付けることができる。しかし、照明装置の曲線部の両端が、照明装置の直線部に固定されているため、曲線部単独で位置を調整することはできない。また、直線部に対する固定作業が発生し、作業が多くなる。さらに、曲線部取付板を照明ボックス内に留めさせておきながら、板ばねを照明ボックス内に入れ、板ばねにより曲線部取付板を照明ボックス内に押さえ付ける必要があるため、作業が煩雑である。【０００７】
この発明は、上記のような課題を解決するためになされたものであり、据付現地での照明器具の位置調整を容易に行うことができる乗客コンベアの欄干装置及び照明保持具を得ることを目的とする。
【課題を解決するための手段】
【０００８】
この発明に係る乗客コンベアの欄干装置は、天井部と、天井部から下方へ突出し互いに対向している一対の側面部とを有しており、かつ下部に開口が設けられている照明ボックス、照明ボックス内に装着されている照明保持具、及び照明保持具に保持されている照明器具を備え、照明保持具は、弾性変形部を有しており、かつ、弾性変形部を弾性変形させることにより一対の側面部に押し付けられて照明ボックス内に保持されている。
この発明に係る乗客コンベアの照明保持具は、互いに対向する一対の側面部が設けられている照明ボックス内に装着される装着部、及び装着部に設けられており、照明器具を保持する保持部を備え、装着部は、弾性変形部を有しており、弾性変形部を弾性変形させることにより一対の側面部に押し付けられて照明ボックス内に保持される。
【発明の効果】
【０００９】
この発明の乗客コンベアの欄干装置及び照明保持具は、据付現地での照明器具の位置調整を容易に行うことができる。
【図面の簡単な説明】
【００１０】
【図１】この発明の実施の形態１によるエスカレータを示す概略の構成図である。
【図２】図１のＩＩ−ＩＩ線に沿う断面図である。
【図３】図２の照明保持具照明ボックスに装着する前の状態を示す正面図である。
【図４】図３の照明保持具を示す平面図である。
【図５】図２の照明保持具及び照明器具の上下方向寸法を小さくした変形例を示す断面図である。
【発明を実施するための形態】
【００１１】
以下、この発明を実施するための形態について、図面を参照して説明する。
実施の形態１．
図１はこの発明の実施の形態１によるエスカレータを示す概略の構成図である。図１において、トラス１は、上下階の建築梁間に架設されている。トラス１には、無端状に連結された複数（一部のみ示す）の踏段２が支持されている。踏段２は、トラス１内に設置された複数のレール（図示せず）に案内されて循環移動する。
【００１２】
踏段２の両側のトラス１上には、一対の欄干装置３が立てられている。各欄干装置３には、踏段２に同期して循環移動する無端状の移動手摺４が設けられている。移動手摺４は、その往路において欄干装置３上を移動する。また、移動手摺４は、欄干装置３の一端部のニュアル部で折り返されてトラス１内を移動し、欄干装置３の他端部から引き出されている。
【００１３】
移動手摺４の移動経路の往路側区間は、下側水平部Ａ、下曲部Ｂ、中間傾斜部Ｃ、上曲部Ｄ及び上側水平部Ｅを有している。下側水平部Ａ、中間傾斜部Ｃ及び上側水平部Ｅは直線区間であり、下曲部Ｂ及び上曲部Ｄは曲線区間である。
【００１４】
図２は図１のＩＩ−ＩＩ線に沿う断面図である。図２に示す断面において、欄干装置３は、内側板５、照明ボックス６、照明保持具７、照明器具８、照明カバー９、及び手摺ガイド１０を有している。
【００１５】
照明ボックス６は、内側板５の上端部に固定されている。また、照明ボックス６は、移動手摺４の移動経路の往路側区間に沿って連続して配置されている。さらに、照明ボックス６は、水平な天井部６ａと、互いに対向している一対の側面部６ｂ，６ｃとを有している。側面部６ｂ，６ｃは、天井部６ａから下方へ突出している。
【００１６】
照明ボックス６の下部には、開口６ｄが設けられている。開口６ｄは、移動手摺４の往路側区間に沿って連続して設けられている。側面部６ｂ，６ｃの下端部には、内側へ突出した一対の突出部６ｅ，６ｆが設けられている。突出部６ｅ，６ｆは、開口６ｄの幅方向両側の縁部を構成している。
【００１７】
照明保持具７は、照明ボックス６内に装着されている。照明器具８は、照明保持具７に保持されている。照明器具８は、機械室（図示せず）に設置された電源から供給される電力により点灯する。照明器具８としては、例えば、複数のＬＥＤ素子を有するＬＥＤユニットが用いられている。
【００１８】
欄干装置３全体で見ると、照明ボックス６内には、２つ以上の照明器具８が配置されている。照明器具８は、移動手摺４の移動方向に沿って並べて配置されている。そして、各照明器具８は、２つ以上の照明保持具７により保持されている。
【００１９】
照明カバー９は、開口６ｄを覆うように照明ボックス６に装着されている。また、照明カバー９は、光透過性樹脂により構成されている。照明カバー９の断面形状は、Ｕ字形である。照明カバー９の上端部は、開口６ｄに嵌め込まれている。照明カバー９の下端部は、照明器具８に対向している。
【００２０】
手摺ガイド１０は、内側板５の真上に配置されており、かつ照明ボックス６上に固定されている。移動手摺４は、手摺ガイド１０上に被せられており、手摺ガイド１０により案内されて移動する。
【００２１】
図３は図２の照明保持具７の照明ボックス６に装着する前の状態を示す正面図、図４は図３の照明保持具７を示す平面図である。照明保持具７は、照明ボックス６内に装着されている装着部１１と、装着部１１の下面に固定されている保持部１２とを有している。保持部１２は、装着部１１に溶接、接着又はねじ止めされている。
【００２２】
照明器具８は、保持部１２に保持されている。保持部１２は、照明器具８を把持する一対の腕１２ａ，１２ｂを有している。
【００２３】
装着部１１は、弾性変形可能な材料、例えば金属板により構成されている。また、装着部１１は、弾性変形部としての一対の板ばね部１１ａ，１１ｂを有している。板ばね部１１ａ，１１ｂは、照明器具８の両側、即ち保持部１２の両側に左右対称に配置されている。
【００２４】
照明保持具７を照明ボックス６に装着した状態では、一対の板ばね部１１ａ，１１ｂは、対応する側面部６ｂ，６ｃにそれぞれ押し付けられている。即ち、装着部１１は、板ばね部１１ａ，１１ｂを弾性変形させることにより一対の側面部６ｂ，６ｃに押し付けられて照明ボックス６内に保持されている。
【００２５】
移動手摺４の幅方向（図２の左右方向）に平行な方向を照明ボックス６及び照明保持具７の幅方向とすると、照明保持具７全体の幅方向寸法は、装着部１１の幅方向寸法と同じである。そして、照明ボックス６に装着する前の装着部１１の幅方向寸法Ｗは、一対の側面部６ｂ，６ｃ間の距離よりも大きい。
【００２６】
このため、装着部１１の幅方向寸法は、装着部１１を照明ボックス６に装着することにより縮小される。このときの板ばね部１１ａ，１１ｂの復元力により、照明保持具７が照明ボックス６内に保持されている。
【００２７】
また、移動手摺４の長手方向に平行な方向を照明ボックス６の長手方向とし、照明ボックス６の長手方向及び幅方向に直角な方向、即ち照明器具８の光の照射方向を上下方向とすると、照明保持具７を照明ボックス６内に装着した状態で、照明ボックス６の長手方向に直角な断面を見たとき、照明保持具７の上下方向寸法は、天井部６ａから開口６ｄまでの距離よりも小さい。
【００２８】
さらに、照明保持具７の長手方向の寸法は、照明保持具７の幅方向寸法よりも小さい。
【００２９】
このような欄干装置３及び照明保持具７では、板ばね部１１ａ，１１ｂのばね力で装着部１１が照明ボックス６内に取り付けられているので、据付現地での照明器具８の位置調整を容易に行うことができる。このため、照明ボックス６の長手方向の照明保持具７の位置を設計段階で考慮する必要がなく、設計段階の検討負荷を軽減することができるとともに、設計の自由度を向上させることができる。
【００３０】
また、照明器具８を変更する場合、例えば蛍光灯からＬＥＤユニットに変更する場合も、既設の照明ボックス６に対して、板ばね部１１ａ，１１ｂの材料寸法又は曲げ角度等を変更して、幅方向寸法Ｗを調整することにより、新設と同様に板ばね部１１ａ，１１ｂを側面部６ｂ，６ｃに当てることができ、自由な位置に照明保持具７を設置することができる。
【００３１】
さらに、照明ボックス６と照明保持具７とを別部品とすることにより、照明ボックス６の生産性を向上させることができる。また、照明ボックス６の長手方向寸法の共通化及び部品種類の削減を図ることができる。
【００３２】
さらにまた、弾性変形部として一対の板ばね部１１ａ，１１ｂを用いたので、簡単な構成により、照明保持具７を安定して照明ボックス６内に装着することができる。また、板ばね部１１ａ，１１ｂの材料寸法又は曲げ回数等を変更することにより、側面部６ｂ，６ｃへの押し付け力を容易に調整することができる。
【００３３】
また、照明保持具７の上下方向寸法が、天井部６ａから開口６ｄまでの距離よりも小さいので、照明保持具７の位置を上下方向へも調整することができる。これにより、照明器具８から照明カバー９までの距離を調整して、照明カバー９にできる明暗を目立たないようにすることができる。
【００３４】
さらに、照明保持具７の長手方向寸法が照明保持具７の幅方向寸法よりも小さい、即ち、照明保持具７が移動手摺４の進行方向について短尺の部品となっているため、移動手摺４の移動経路の直線区間にも曲線区間にも共通の照明保持具７を適用することができる。
【００３５】
なお、例えば図５に示すように、照明保持具７及び照明器具８の上下方向寸法を図２よりもさらに小さくすることにより、照明器具８の上下方向位置を天井部６ａから開口６ｄまでの間で大きく変位させることができる。
【００３６】
また、弾性変形部は板ばね部に限定されるものではなく、例えばコイルばね、弾性変形可能なゴム片であってもよい。
さらに、弾性変形部は、照明保持具の幅方向の一方のみに設けてもよい。
さらにまた、照明器具は、ＬＥＤユニットに限定されるものではない。
また、この発明は、動く歩道の欄干装置にも適用できる。
【符号の説明】
【００３７】
３  欄干装置、６  照明ボックス、６ａ  天井部、６ｂ，６ｃ  側面部、６ｄ  開口、７  照明保持具、８  照明器具、１１  装着部、１１ａ，１１ｂ  板ばね部（弾性変形部）、１２  保持部。
【要約】
乗客コンベアの欄干装置において、照明ボックスは、天井部と、天井部から下方へ突出し互いに対向している一対の側面部とを有しており、かつ下部に開口が設けられている。照明器具を保持する照明保持具は、照明ボックス内に装着されている。照明保持具は、弾性変形部を有している。また、照明保持具は、弾性変形部を弾性変形させることにより一対の側面部に押し付けられて照明ボックス内に保持されている。【図１】
0006377306.tif 000002
【図２】
0006377306.tif 000003
【図３】
0006377306.tif 000004
【図４】
0006377306.tif 000005
【図５】
0006377306.tif 000006